(57)【要約】【課題】箱状物品の角部の一辺に形成された開封部に貼付した場合であっても、真偽判定が容易な封印シールを提供することを課題とする。【解決手段】支持体である基材２の片面に粘着層６を備えており、基材のもう一方の面に、少なくとも、方向の揃った複数の直線状の凸部と凹部のいずれか一方または両方からなる凹凸構造を備えた光散乱領域である指向性がある光学素子１ａを平行に備えた光学素子群Ａと、光学素子１ａの方向と異なる任意の角度をなす凹凸構造を備えた光散乱領域である指向性がある光学素子１ｂを平行に備えた光学素子群Ｂと、を備えており、これらの光学素子群は、互いに交差して配置され、互いに異なる像を形成していることを特徴とする封印シール。【選択図】図１
2017161702.tif 000002
【特許請求の範囲】
【請求項１】
箱状物品である被貼付体の一辺に備えられた開封部を、その箱状物品の上面部と側面部に跨って貼付することにより不正開封されたことを検知可能とする封印シールであって、
支持体である基材の片面に粘着層を備えており、
基材のもう一方の面に、少なくとも、方向の揃った複数の直線状の凸部と凹部のいずれか一方または両方からなる凹凸構造を備えた光散乱領域である光学素子ａを平行に備えた光学素子群Ａと、
光学素子ａの方向と異なる任意の角度をなす複数の直線状の凸部と凹部のいずれか一方または両方からなる凹凸構造を備えた光散乱領域である光学素子ｂを平行に備えた光学素子群Ｂと、を備えており、
これらの光学素子群は、互いに任意の角度で交差して配置され、互いに異なる像を形成していることを特徴とする封印シール。
【請求項２】
前記光学素子群が交差する角度が９０°であることを特徴とする請求項１に記載の封印シール。
【請求項３】
請求項１または２に記載の封印シールを使用した真偽判定方法であって、
前記箱状物品である被貼付体の一辺に備えられた前記開封部を、その箱状物品の上面部と側面部に跨って貼付された前記封印シールのうち、前記箱状物品の上面部の封印シールをある視認可能な方向から視認する工程１と、
前記箱状物品の上面部の封印シールを別の視認可能な方向から視認する工程２と、
工程１および工程２において視認可能である場合に真正であると判定し、工程１と工程２のうち、少なくとも一方で視認不可能であった場合に偽であると判定する判定工程と、を備えていることを特徴とする真偽判定方法。
【発明の詳細な説明】
【技術分野】
【０００１】
本発明は、ダンボール箱などのパッケージの開封部に貼付することにより、不正に開封されたことの判定を可能とするための封印シールおよび真偽判定方法に関する。
【背景技術】
【０００２】
封印シールは、剥がしたことがわかることおよび元通りに貼りなおすことができないことが重要とされる。剥がすと貼付面とシール自体に跡が残るものやシールに切り込みが入っていて、剥がそうとするとシールが破れてしまうことで貼り直しをできなくするものが知られている。
【０００３】
従来、ダンボール箱などのパッケージの開封部に貼付することにより、不正に開封されたことを検知可能とするための封印シールとして、ホログラムなどの封印シールが使用されてきた。
【０００４】
例えば図３に例示したように、光学的な指向性がある汎用の封印シール１０´を箱状物品３の開封部が配置される角部に貼付した場合、箱状物品３の上面部にある封印シール１０´の視認可能な角度と、箱状物品３の側面部にある封印シール１０´の視認可能な角度とが異なる。そのため、真偽判定を行う際に封印シール１０´がある面毎に視認可能な角度を見極める必要があり、作業性が悪く実際の運用は困難であった。
【０００５】
このような問題点を解決可能な先行技術について調査したが、そのような技術を見出すことは出来なかった。最も近い先行技術として、例えば特許文献１には、偽造が簡単にできず、かつ封印シールを剥がしＲＯＭ等を不正なものと差し替えて、その剥がしたシールを再び貼り付けても、そのシールの外観に剥がした痕跡が残るため不正行為が行われたことが容易に分かことを可能とした一体型封印シールが開示されている。この技術は箱状物品の角部に貼付した時に、容易に真偽判定を可能とする技術ではなかった。また特許文献２には、封印シールの偽造が簡単にできず、かつ封印シールを剥がしＲＯＭ等を不正なものと差し替えて剥がした封印シールを再び貼っても、そのシールの外観に剥がした痕跡が残り、不正な行為が行われたことが容易に分かる封印シールが開示されているが、上記の問題点を解決する技術ではなかった。
【先行技術文献】
【特許文献】
【０００６】
【特許文献１】特開２００１−２６５２２５号公報
【特許文献２】特開２００１−２２８８００号公報
【発明の概要】
【発明が解決しようとする課題】
【０００７】
上記の事情に鑑み本発明は、箱状物品の角部の一辺に形成された開封部に貼付した場合であっても、真偽判定が容易な封印シールを提供することを課題とする。
【課題を解決するための手段】
【０００８】
上記の課題を解決する手段として、本発明の請求項１に記載の発明は、箱状物品である被貼付体の一辺に備えられた開封部を、その箱状物品の上面部と側面部に跨って貼付することにより不正開封されたことを検知可能とする封印シールであって、
支持体である基材の片面に粘着層を備えており、
基材のもう一方の面に、少なくとも、方向の揃った複数の直線状の凸部と凹部のいずれ
か一方または両方からなる凹凸構造を備えた光散乱領域である光学素子ａを平行に備えた光学素子群Ａと、
光学素子ａの方向と異なる任意の角度をなす複数の直線状の凸部と凹部のいずれか一方または両方からなる凹凸構造を備えた光散乱領域である光学素子ｂを平行に備えた光学素子群Ｂと、を備えており、
これらの光学素子群は、互いに任意の角度で交差して配置され、互いに異なる像を形成していることを特徴とする封印シールである。
【０００９】
また、請求項２に記載の発明は、前記光学素子群が交差する角度が９０°であることを特徴とする請求項１に記載の封印シールである。
【００１０】
また、請求項３に記載の発明は、請求項１または２に記載の封印シールを使用した真偽判定方法であって、
前記箱状物品である被貼付体の一辺に備えられた前記開封部を、その箱状物品の上面部と側面部に跨って貼付された前記封印シールのうち、前記箱状物品の上面部の封印シールをある視認可能な方向から視認する工程１と、
前記箱状物品の上面部の封印シールを別の視認可能な方向から視認する工程２と、
工程１および工程２において視認可能である場合に真正であると判定し、工程１と工程２のうち、少なくとも一方で視認不可能であった場合に偽であると判定する判定工程と、を備えていることを特徴とする真偽判定方法である。
【発明の効果】
【００１１】
本発明の封印シールによれば、視認可能な方向が異なる複数の光学素子を備えているため、箱状物品の一辺に貼付された場合であっても、封印シールの箱状物品の上面に貼付されている部分において、異なる複数の方向から視認することにより、容易に真偽判定が可能となる。
【００１２】
また、本発明の真偽判定方法によれば、本発明の封印シールを使用して対象物品の真偽判定を容易に実施することができる。
【図面の簡単な説明】
【００１３】
【図１】本発明の封印シールの一例を示す説明図であって、（ａ）は平面図、（ｂ）は（ａ）のＡ−Ａ´切断線における断面図、を示している。
【図２】本発明の封印シールを、箱状物品である被貼付体のダンボール箱の一辺に備えられた開封部を被覆する形で貼付した状態を例示した説明図であって、（ａ）は封印シールを右上の視認の方向ａ４から見た場合に、視認できる封印シール１０のパターンがダンボール箱の上面部の封印シールでは縦縞のパターンが視認され、側面部では横縞のパターンが視認できる状態を例示しており、（ｂ）は封印シールを左上の視認の方向ｂ５から見た場合に、視認できる封印シール１０のパターンがダンボール箱の上面部の封印シールでは横縞のパターンが視認され、側面部では縦縞のパターンが視認できる状態を例示している。
【図３】従来の封印シールを、箱状物品である被貼付体のダンボール箱の一辺に備えられた開封部を被覆する形で貼付した状態を例示した説明図。
【発明を実施するための形態】
【００１４】
＜封印シール＞
本発明の封印シールを、図１および図２を用いて説明する。
本発明の封印シール１０は、箱状物品３である被貼付体の一辺に備えられた開封部を、その箱状物品３の上面部と側面部に跨って貼付することにより不正開封されたことを検知可能とする封印シールである（図２参照）。
【００１５】
本発明の封印シール１０は、支持体である基材２の片面に粘着層６を備えており、基材２のもう一方の面に、少なくとも、方向の揃った複数の直線状の凸部と凹部のいずれか一方または両方からなる凹凸構造７（図示せず）を備えた光散乱領域８（図示せず）である光学素子ａを平行に備えた光学素子群Ａと、光学素子ａの方向と異なる任意の角度をなす複数の直線状の凸部と凹部のいずれか一方または両方からなる凹凸構造７´（図示せず）を備えた光散乱領域８´（図示せず）である光学素子ｂを平行に備えた光学素子群Ｂと、を備えている。
【００１６】
本発明の封印シール１０は、これらの光学素子群が、互いに任意の角度で交差して配置されており、また互いに異なる像を形成していることを特徴とする封印シールである。
【００１７】
これらの光学素子群は、光学素子群ＡとＢの２つだけでなく、３つ以上備えていても構わない。
【００１８】
また、光学素子群ＡとＢが交差する角度が、図１（ａ）に例示したように、９０°であっても良い。この図では、光学素子群Ａを構成する光学素子ａの凹凸構造８（図示せず）の方向と、光学素子群Ｂを構成する光学素子ｂの凹凸構造８´（図示せず）の方向と、が直交している場合を、光学素子ａと光学素子ｂの斜線の方向で示している。
【００１９】
このような光学素子ａおよび光学素子ｂに、法線方向から光を照射した場合、直線状の凹凸構造８、８´の直線が延伸する方向に直交する面内では最も広い射出角で散乱光を射出し（最小の光散乱能という。）、直線が延伸する方向に平行な面内では最も狭い射出角で散乱光を射出する（最大の光散乱能という。）ことができる。このことを利用して、光学素子群ＡとＢにそれぞれことなる画像を表示させることが可能となる。
【００２０】
＜封印シールの製造方法＞
次に本発明の封印シールの製造方法について説明する。
本発明の封印シールの製造方法として、エンボス法を用いた製造方法について説明する。
（版の作製）
まず、エンボスするための版を作製する。例えば、図１（ａ）に示したような光学素子群を作製するための版を作製する。
【００２１】
例えば、半導体集積回路製造に用いるシリコンウェハの鏡面研磨した面に電子ビームレジストをコーティングして、電子ビームレジスト層を形成後、レジスト中の溶剤分を揮発させるための乾燥工程を経て、電子ビーム描画装置に装着し、形成しようとするパターンを露光する。その後、レジスト現像装置にて現像することによって、シリコンウェハ上にレジストパターンを形成することができる。
【００２２】
次に、レジストパターン付のシリコンウェハの上に、高周波スパッタ装置を用いて、ニッケル薄膜を形成して表面に導電性を付与した後、ニッケルを電鋳することにより、金型を得ることができる。
【００２３】
（複製）
次に、例えば厚さが２５μｍのＰＥＴ（ポリエチレンテレフタレート）フィルムを基材として、その表面に樹脂層の塗液をグラビアコーティングし、溶剤を乾燥することによって、厚さ１μｍの樹脂層を形成する。このようにして、エンボス原反を作製するための原反を作製することができる。樹脂としては、例えばウレタン樹脂を好適に使用することが可能である。
【００２４】
この様にして得た樹脂層付のＰＥＴフィルムである原反の樹脂層に、作製した金型を加熱した状態で押圧することにより、金型に形成されたパターンをＰＥＴフィルム上の樹脂層に転写させることできる。このようにして、シリコンウェハ上に形成したレジストパターンと同じパターンを複製した、エンボス原反を作製することが可能である。
【００２５】
次に、このエンボス原反のエンボス形成面にアルミニウム薄膜層を形成する。例えば、真空蒸着にて５０ｎｍの厚さで形成するのが好ましい。
【００２６】
次に、アルミニウム薄膜層を形成した面に、アクリル系樹脂からなる粘着剤層をグラビアコーティングにて形成することによって、本発明の封印シールの層構成を備えた物品を作製することができる。粘着剤層の厚さとしては、例えば２０μｍを好適に使用することができる。
エンボス原反に、本発明の封印シールを多面付けしている場合は、封印シールを個片に断裁することによって、封印シールを作製することができる。
【００２７】
＜真偽判定方法＞
次に、本発明の封印シールを用いた真偽判定方法について、図２を用いて説明する。
本発明の真偽判定方法は、箱状物品３である被貼付体の一辺に備えられた開封部を、その箱状物品３の上面部と側面部に跨って貼付された封印シール１０のうち、箱状物品の上面部の封印シールをある視認可能な方向から視認する工程１と、箱状物品の上面部の封印シールを別の視認可能な方向から視認する工程２と、工程１および工程２において視認可能である場合に真正であると判定し、工程１と工程２のうち、少なくとも一方で視認不可能であった場合に偽であると判定する判定工程と、を備えている。
【００２８】
図２（ａ）は、箱状物品３の上面部と側面部に跨って貼付された封印シール１０のうち、箱状物品３の上面部の封印シール１０をある視認可能な方向ａ４から視認する工程１を例示する説明図である。この図２（ａ）では、それが縦縞状に視認できる状態を示している。
【００２９】
一方図２（ｂ）は、箱状物品３の上面部と側面部に跨って貼付された封印シール１０のうち、箱状物品３の側面部の封印シール１０をある視認可能な方向ｂ５から視認する工程２を例示する説明図である。この図２（ｂ）では、それが横縞状に視認できる状態を示している。
【００３０】
また、本発明の真偽判定方法は、本発明の封印シール１０の視認可能な方向が２つである場合を例に挙げて説明したが、２つに限定する必要は無く、２つ以上の異なる視認可能な方向から視認し、真偽判定を行っても良い。その場合の真偽判定の方法は、同様に、少なくとも１つの視認不可能な方向があれば、偽と判定する。
【符号の説明】
【００３１】
１ａ・・・指向性がある光学素子
１ｂ・・・指向性がある光学素子
２・・・基材
３・・・箱状物品
４・・・視認可能な方向ａ
５・・・視認可能な方向ｂ
６・・・粘着層
７、７´・・・凹凸構造
８、８´・・・光散乱領域
１０、１０´・・・封印シール
Ａ・・・光学素子群
Ｂ・・・光学素子群
【図１】
2017161702.tif 000003
【図２】
2017161702.tif 000004
【図３】
2017161702.tif 000005